(57)【要約】【課題】陳列室内のスペースを有効利用することのできるショーケースを提供する。【解決手段】デッキパン８と、開口する陳列室１０と、を備えるショーケース１であって、陳列室１０の背壁７に固定され、折り畳み可能な棚機構３１と、棚機構３１の折り畳み時に棚機構３１が開かないように棚機構３１を固定し、棚機構３１を開いたときに棚機構３１を保持する回動可能な保持機構５１と、を備える陳列棚３０を設けた。【選択図】図３
2019010381.tif 000002
【特許請求の範囲】
【請求項１】
デッキパンと、開口する陳列室と、を備えるショーケースであって、
前記陳列室の背壁に固定され、折り畳み可能な棚機構と、
前記棚機構の折り畳み時に前記棚機構が開かないように前記棚機構を固定し、前記棚機構を開いたときに前記棚機構を保持する回動可能な保持機構と、
を備える陳列棚を設けたことを特徴とするショーケース。
【請求項２】
前記背壁は、冷却ダクトに通じる第１通風孔を備え、
前記棚機構は、第２通風孔を備え、
前記第２通風孔は、前記棚機構の折り畳み時に、前記第１通風孔と重なる位置に備えられていることを特徴とする請求項１に記載のショーケース。
【請求項３】
前記陳列棚の左右方向の長さは、前記デッキパンの左右方向の長さよりも短いことを特徴とする請求項１または請求項２に記載のショーケース。
【請求項４】
前記棚機構は、前記棚機構の折り畳み時に最も前側に配置される前棚板を含む複数の棚板を備え、
前記保持機構は、
前記棚機構の折り畳み時に前記前棚板を保持し、前記棚機構を開いたときに前記棚板の側部を保持する可動部材と、
前記背壁に固定される基部部材と、
を備えることを特徴とする請求項１から請求項３の何れか一項に記載のショーケース。
【請求項５】
前記可動部材は、前記棚機構の折り畳み時に前記前棚板を保持する当接部と、前記棚機構の折り畳み時に前記前棚板の背面側を押さえるストッパ部と、を備えることを特徴とする請求項４に記載のショーケース。
【請求項６】
前記当接部の高さは、前記棚機構を開いたときの前記棚板の高さよりも高いことを特徴とする請求項５に記載のショーケース。
【請求項７】
前記ストッパ部の高さは、前記棚機構を開いたときの前記棚板の高さよりも低いことを特徴とする請求項５または請求項６に記載のショーケース。
【請求項８】
前記前棚板は、先端部から下方に延びる延出部と、前記延出部の下端部から斜め内側に延びる傾斜部と、を備えることを特徴とする請求項４から請求項７のいずれか一項に記載のショーケース。
【発明の詳細な説明】
【技術分野】
【０００１】
本発明は、ショーケースに関する。
【背景技術】
【０００２】
従来、開口する陳列室を備えるショーケースでは、陳列室内に商品を配置する陳列棚を備えるものが知られている（例えば、特許文献１参照）。
この種の陳列棚は、例えば、一枚の棚板により形成される。そして、陳列棚は、適切な高さに、都度固定されている。
【先行技術文献】
【特許文献】
【０００３】
【特許文献１】特開２０１６−０１７６４３号公報
【発明の概要】
【発明が解決しようとする課題】
【０００４】
しかしながら、適切な高さに陳列棚を都度固定する従来の手法では、陳列室のスペースを要し、棚を配置する位置や、商品配置の自由度が低下するため、未だ改善の余地があった。
本発明は、前記従来の課題を解決するものであり、陳列室内のスペースを有効利用することのできるショーケースを提供することを目的とする。
【課題を解決するための手段】
【０００５】
上記目的を達成するために、本発明は、デッキパンと、開口する陳列室と、を備えるショーケースであって、前記陳列室の背壁に固定され、折り畳み可能な棚機構と、前記棚機構の折り畳み時に前記棚機構が開かないように前記棚機構を固定し、前記棚機構を開いたときに前記棚機構を保持する回動可能な保持機構と、を備える陳列棚を設けたことを特徴とする。
【発明の効果】
【０００６】
本発明によれば、陳列棚を折りたたみ可能とすることにより、陳列室内のスペースを調整可能となり、陳列室内のスペースを有効利用することができ、商品配置の自由度を向上させることができる。
【図面の簡単な説明】
【０００７】
【図１】本発明の実施形態に係るオープンショーケースの斜視図
【図２】棚機構の折り畳み時における陳列室の斜視図
【図３】棚機構を開いた状態における陳列棚の斜視図
【図４】棚機構を開いた状態における陳列棚の側面図
【図５】棚機構の折り畳み時における陳列棚の側面図
【図６】棚機構を開いた状態において陳列棚を下方から見た斜視図
【図７】棚機構を開いた状態における陳列棚の正面図
【図８】棚機構を開きはじめる状態における陳列棚の側面図
【図９】図８におけるＡ部分の拡大図
【発明を実施するための形態】
【０００８】
第１の発明におけるショーケースは、デッキパンと、開口する陳列室と、を備えるショーケースであって、前記陳列室の背壁に固定され、折り畳み可能な棚機構と、前記棚機構の折り畳み時に前記棚機構が開かないように前記棚機構を固定し、前記棚機構を開いたときに前記棚機構を保持する回動可能な保持機構と、を備える陳列棚を設けたことを特徴とする。
この発明によれば、陳列棚を折りたたみ可能とすることにより、陳列室内のスペースを調整可能となり、陳列室内のスペースを有効利用することができ、商品配置の自由度を向上させることができる。
【０００９】
第２の発明におけるショーケースは、第１の発明におけるショーケースにおいて、前記背壁は、冷却ダクトに通じる第１通風孔を備え、前記棚機構は、第２通風孔を備え、前記第２通風孔は、前記棚機構の折り畳み時に、前記第１通風孔と重なる位置に備えられていることを特徴とする。
この発明によれば、棚機構の折り畳み時においても、冷却ダクトから送られる冷気を効率よく陳列室内に送風できる。
【００１０】
第３の発明におけるショーケースは、第１の発明または第２の発明におけるショーケースにおいて、前記陳列棚の左右方向の長さは、前記デッキパンの左右方向の長さよりも短いことを特徴とする。
この発明によれば、デッキパンの左右方向の長さよりも陳列棚の左右方向の長さを短くすることにより、陳列棚の周囲にはデッキパンに陳列された商品が並ぶこととなる。この場合、デッキパンと陳列棚とで商品を２段に陳列可能となり、例えばデッキパンに陳列される商品よりも陳列棚に陳列する商品をより目立たせることができるなど、キャンペーン時の商品の展示性を向上させることができる。
【００１１】
第４の発明におけるショーケースは、第１の発明から第３の発明におけるいずれかのショーケースにおいて、前記棚機構は、前記棚機構の折り畳み時に最も前側に配置される前棚板を含む複数の棚板を備え、前記保持機構は、前記棚機構の折り畳み時に前記前棚板を保持し、前記棚機構を開いたときに前記棚板の側部を保持する可動部材と、前記背壁に固定される基部部材と、を備えることを特徴とする。
この発明によれば、陳列棚を折りたたみ可能とすることにより、陳列室内のスペースを調整可能となり、陳列室内のスペースを有効利用することができ、商品配置の自由度を向上させることができる。
【００１２】
第５の発明におけるショーケースは、第４の発明におけるショーケースにおいて、前記可動部材は、前記棚機構の折り畳み時に前記前棚板を保持する当接部と、前記棚機構の折り畳み時に前記前棚板の背面側を押さえるストッパ部と、を備えることを特徴とする。
この発明によれば、棚機構の折り畳み時に、前棚板を当接部とストッパ部との間の間隙にはめ込むことができる。そのため、棚機構の折り畳み時に前棚板を安定して保持でき、ひいては棚機構を安定して保持できる。
【００１３】
第６の発明におけるショーケースは、第４の発明または第５の発明におけるショーケースにおいて、前記当接部の高さは、前記棚機構を開いたときの前記棚板の高さよりも高いことを特徴とする。
この発明によれば、棚機構を開いたときに、陳列棚の高さよりも当接部の高さが高くなり、棚板から商品が横方向外側に落下することを防止できる。
【００１４】
第７の発明におけるショーケースは、第４の発明から第６の発明におけるいずれかのショーケースにおいて、前記ストッパ部の高さは、前記棚機構を開いたときの前記棚板の高さよりも低いことを特徴とする。
この発明によれば、棚機構を折り畳むとき、前棚板を当接部とストッパ部との間の間隙にはめ込むことが容易になる。
【００１５】
第８の発明におけるショーケースは、前記前棚板は、先端部から下方に延びる延出部と、前記延出部の下端部から斜め内側に延びる傾斜部と、を備えることを特徴とする。
この発明によれば、棚機構を折り畳むにあたり、前棚板を当接部とストッパ部との間の間隙にはめ込むときに、前棚板の背面側に設けられる傾斜部とストッパ部との接触を抑制できる。そのため、前棚板を当接部とストッパ部との間の間隙に円滑にはめ込むことができる。
【００１６】
以下、本発明の実施の形態について、図面を参照しながら説明する。なお、本実施の形態によって本発明が限定されるものではない。
【００１７】
図１は、本発明の実施形態に係るオープンショーケース１の斜視図である。図１におけるオープンショーケース１の正面視を基準として、右側を右、左側を左、上側を上、下側を下、奥側を後、前側を前、と定義する。また、オープンショーケース１における前後の方向を前後方向とし、オープンショーケース１における左右の方向を左右方向とし、オープンショーケース１における上下の方向を高さ方向とする。
本発明に係るオープンショーケース１は、本実施の形態に係るオープンショーケース１に限らず、開口する陳列室を備える種々のショーケースに適用可能である。
【００１８】
オープンショーケース（ショーケース）１は、例えば、スーパーマーケットやコンビニエンスストアなどに設置されてビール等の陳列販売に供されるものである。
オープンショーケース１は、天井板３と、透明なガラス板からなる左側板５および右側板６と、背壁７と、デッキパン８と、を備える。また、オープンショーケース１は、これら天井板３、左側板５、右側板６、背壁７、デッキパン８に囲まれ、前面が開口する陳列室１０を備えている。
【００１９】
陳列室１０の高さ方向の略中央部には、第２陳列棚２０が備えられている。第２陳列棚２０は、複数備えていてもよい。
第２陳列棚２０の下方であり、また、デッキパン８の上方には、陳列棚３０が備えられる。この陳列棚３０は、折りたたみ可能に構成されている。陳列棚３０は、背壁７に固定されている。
背壁７の後方には、冷気が流れる不図示の冷却ダクトが形成されている。背壁７は、この冷却ダクトに通じる第１通風孔５０を備える。
【００２０】
陳列棚３０は、陳列棚３０の左右方向の長さＢが、デッキパン８の左右方向の長さＣよりも短くなるように形成されている。また、陳列棚３０は、陳列棚３０の前後方向の長さＤが、デッキパン８の前後方向の長さＥよりも短くなるように形成されている。さらに、陳列棚３０は、陳列棚３０の左右方向の長さが、第２陳列棚２０の左右方向の長さよりも短く形成されており、陳列棚３０の前後方向の長さも、第２陳列棚２０の前後方向の長さよりも短く形成されている。
本実施の形態における陳列棚３０は、デッキパンに一般的なおよそ３５０ｍｌ入りの飲料缶を置いた場合を想定し、この３５０ｍｌ入りの飲料缶の高さよりも高い位置に配置されている。また、陳列棚３０は、デッキパンに一般的なおよそ５００ｍｌ入りの飲料缶を置いた場合を想定し、この５００ｍｌ入りの飲料缶の高さよりも低い位置に配置されている。
【００２１】
これにより、例えば、陳列棚３０の周囲には、５００ｍｌ入りの飲料缶を展示し、陳列棚３０にも飲料缶等展示することにより、デッキパンと陳列棚とで商品のボリュームある２段陳列が可能となるとともに、陳列棚３０の下方には、例えば３５０ｍｌ入りの飲料缶等を収納しておくことができ、陳列室１０内のスペースを有効利用できるようになる。
すなわち、陳列棚３０は、陳列棚３０の下方に商品を収納することを想定し、当該想定する商品を収納可能な程度に当該商品に応じた所定の高さを備えた位置に配置される。
なお、陳列棚３０は、必ずしもデッキパン８の上方でなく、例えば、第２陳列棚２０の上方に備えてもよいことは勿論である。
【００２２】
図２は、棚機構３１の折り畳み時における陳列室１０の斜視図である。図３は、棚機構３１を開いた状態における陳列棚３０の斜視図である。図４は、棚機構３１を開いた状態における陳列棚３０の側面図である。図５は、棚機構３１の折り畳み時における陳列棚３０の側面図である。図６は、棚機構３１を開いた状態において陳列棚３０を下方から見た斜視図である。図７は、棚機構３１を開いた状態における陳列棚３０の正面図である。図８は、棚機構３１を開きはじめる状態における陳列棚３０の側面図である。図９は、図８におけるＡ部分の拡大図である。
陳列棚３０は、陳列室１０の背壁７に固定され、折り畳み可能な棚機構３１を備える。
また、陳列棚３０は、棚機構３１の折り畳み時に棚機構３１が開かないように棚機構３１を固定し、棚機構３１を開いたときに棚機構３１を保持する回動可能な保持機構５１を備える。
【００２３】
棚機構３１は、棚機構３１の折り畳み時に最も前側に配置される前棚板（棚板）３３と、棚機構３１の折り畳み時に背壁７の側に配置される後棚板（棚板）３４と、を備える。
前棚板３３と後棚板３４とは、図２に示すように、２か所において、第１棚ヒンジ部材３５により接合されている。また、後棚板３４は、図３に示すように、２か所において、第２棚ヒンジ部材３６により、背壁７に接合されている。これらの第１棚ヒンジ部材３５により、棚機構３１は、前棚板３３と後棚板３４との接合箇所が上方に移動するように山折りに折り畳み可能とされている。
【００２４】
前棚板３３は、図８および図９に示すように、前棚板３３の先端部から下方に延びる延出部４１と、延出部４１の下端部から斜め内側に延びる傾斜部４３と、を備える。
また、前棚板３３は、図６に示すように、前棚板３３の側部から下方に延びる側方延出部４５と、側方延出部４５の下端部から内側に延びる棚板当接部４７と、を備える。後棚板３４も、図６に示すように、前棚板３３の側部から下方に延びる側方延出部４５と、側方延出部４５の下端部から内側に延びる棚板当接部４７と、を備える。
棚機構３１を開いたとき、棚板当接部４７は、後述する可動部材５３に設けられる当接部５５と当接し、ストッパ部５８によりオープンショーケース１の内側に棚板当接部４７が可動することを制限される。これにより、棚機構３１は、開いた状態で保持される。
【００２５】
前棚板３３は、前棚板通風孔（第２通風孔）３７を備える。また、後棚板３４は、後棚板通風孔（第２通風孔）３８を備える。
図２に示すように、前棚板通風孔３７と後棚板通風孔３８とは、棚機構３１の折り畳み時に、正面視において、おおよそ重なる位置に設けられている。さらに、これら前棚板通風孔（第２通風孔）３７および後棚板通風孔（第２通風孔）３８と、第１通風孔５０とは、棚機構３１の折り畳み時に、正面視において、おおよそ重なる位置に設けられている。
【００２６】
これらは、棚機構３１の折り畳み時においても、冷却ダクトから流れる冷気を第１通風孔５０、後棚板通風孔３８、前棚板通風孔３７を通過させることにより、陳列室１０に送ることを促進させるためのものである。
したがって、第２通風孔である前棚板通風孔３７および後棚板通風孔３８と、第１通風孔５０とは、冷却ダクトからの冷気を陳列室１０に送ることが可能であると評価できる程度に重なる位置に設けられていればよい。すなわち、重なり合うとは、第２通風孔である前棚板通風孔３７および後棚板通風孔３８と、第１通風孔５０とが、正面視において厳密に重なり合うことを要するものではなく、前後方向において、冷却ダクトからの冷気を陳列室１０に送風可能な程度におよそ重なり合う位置であればよい。
【００２７】
なお、棚板は、前棚板３３および後棚板３４に限らず、さらに増やしてもよい。棚板をさらに増やした場合には、棚板に設けられる第２通風孔と、背壁７に設けられる第１通風孔５０とが、棚機構３１の折り畳み時において、正面視でおよそ重なり合う位置に設ければよい。
【００２８】
保持機構５１は、図３および図４に示すように、棚機構３１の折り畳み時に前棚板３３を保持し、棚機構３１を開いたときに前棚板３３の側部および後棚板３４の側部を保持する可動部材５３を備える。また、保持機構５１は、背壁７に固定される基部部材６１を備える。
基部部材６１と可動部材５３とは、保持ヒンジ部材５９により接合されている。可動部材５３は、保持ヒンジ部材５９により、高さ方向を軸として回動する。
【００２９】
可動部材５３は、図６に示すように、主板５４と、主板５４に固定されるストッパ板６５と、を備える。
主板５４の上部には、段状に形成される当接部５５が備えられる。
【００３０】
当接部５５は、図５および図６に示すように、棚機構３１の折り畳み時に前棚板３３の延出部４１を保持し、棚機構３１を開いたときに前棚板３３および後棚板３４の棚板当接部４７を保持する平面部５６を備える。また、当接部５５は、棚機構３１の折り畳み時に前棚板３３の表面を保持する立ち上がり部５７を備える。
立ち上がり部５７は、平面部５６の外端から上方に向けて延びている。
【００３１】
図６に示すように、側方延出部４５の高さは、棚機構３１を開いた場合における陳列棚３０の高さとなる。立ち上がり部５７の高さ（当接部の高さ）は、側方延出部４５の高さ（棚板の高さ）よりも高く形成される。
そのため、棚機構３１を開いたときに、陳列棚３０の高さよりも立ち上がり部５７の高さが高くなり、前棚板３３および後棚板３４から商品が横方向外側に落下することを防止できる。
【００３２】
ストッパ板６５には、平面部５６の高さよりも、高さ方向に高く延びるストッパ部５８が備えられる。
このストッパ部５８は、図５に示すように、棚機構３１の折り畳み時に前棚板３３の傾斜部４３の下端（前棚板の背面側）を押さえる位置に設けられている。また、ストッパ部５８は、図６および図７に示すように、棚機構３１を開いたときに、棚板当接部４７を押さえる位置に設けられている。これにより、ストッパ部５８は、棚板当接部４７が主板５４の内側に落下することを制限する。
ストッパ部５８は、その高さが棚機構３１を開いたときの棚板当接部４７の高さ（棚板の高さ）よりも低くなるように設けられている。
【００３３】
次に、本実施形態の作用について説明する。
図５に示す棚機構３１の折り畳みの状態から、図３に示す棚機構３１を開いた状態にするには、まず、図５に示す棚機構３１の折り畳み時において、山折りにされて折り畳まれている棚機構３１の上部を後ろ方向に押す。これにより、当接部５５とストッパ部５８との間に配置されていた前棚板３３の先端部が、当接部５５とストッパ部５８との間から外れる。
次いで、第１棚ヒンジ部材３５、第２棚ヒンジ部材３６により棚機構３１を開くとともに、保持ヒンジ部材５９により保持機構５１を開く。
次いで、開かれた保持機構５１に設けられる当接部５５とストッパ部５８との間に、前棚板３３および後棚板３４に設けられる棚板当接部４７を配置する。開かれた保持機構５１により、開かれた棚機構３１を保持することができ、棚機構３１を開いた状態で固定することができる。
【００３４】
図３に示す棚機構３１を開いた状態から、図５に示す棚機構３１の折り畳みの状態とするには、まず、図５に示す棚機構３１を第１棚ヒンジ部材３５、第２棚ヒンジ部材３６により山折りに折り畳む。
次いで、保持機構５１に設けられる可動部材５３を、保持ヒンジ部材５９により閉じる。
次いで、図８および図９に示すように、山折りに折り畳まれた棚機構３１の前棚板３３の先端部を、当接部５５とストッパ部５８との間にはめ込む。このとき、前棚板３３には傾斜部４３が設けられているため、ストッパ部５８と前棚板３３の先端部とが接触せずに、前棚板３３を当接部５５とストッパ部５８との間の間隙に円滑にはめ込むことができる。
【００３５】
以上説明したように、本実施の形態に係るオープンショーケース（ショーケース）１は、デッキパン８と、開口する陳列室１０と、を備え、陳列室１０の背壁７に固定され、折り畳み可能な棚機構３１と、棚機構３１の折り畳み時に棚機構３１が開かないように棚機構３１を固定し、棚機構３１を開いたときに棚機構３１を保持する回動可能な保持機構５１と、を備える陳列棚３０を設けた。
本実施の形態によれば、陳列棚３０を折りたたみ可能とすることにより、陳列室１０内のスペースを調整可能となり、比較的大きい商品を陳列棚３０に収納する必要がある場合等、商品配置の自由度を向上させることができる。
【００３６】
また、本実施の形態によれば、背壁７は、不図示の冷却ダクトに通じる第１通風孔５０を備え、棚機構３１は、前棚板３３に設けられる前棚板通風孔（第２通風孔）３７および後棚板３４に設けられる後棚板通風孔（第２通風孔）３８を備え、前棚板通風孔（第２通風孔）３７および後棚板通風孔（第２通風孔）３８は、棚機構３１の折り畳み時に、第１通風孔５０と重なる位置に備えられている。
本実施の形態によれば、棚機構３１の折り畳み時においても、冷却ダクトから送られる冷気を陳列室１０内に効率よく送風可能となる。
【００３７】
また、本実施の形態によれば、陳列棚３０の左右方向の長さＢは、デッキパン８の左右方向の長さＣよりも短い。
本実施の形態によれば、デッキパン８の左右方向の長さＢよりも陳列棚３０の左右方向の長さＣを短くすることにより、陳列棚３０の周囲にはデッキパン８に陳列された商品が並ぶこととなる。この場合、デッキパン８と陳列棚３０とで商品を２段に陳列可能となり、例えばデッキパン８に陳列される商品よりも陳列棚３０に陳列する商品をより目立たせることができるなど、キャンペーン時の商品の展示性を向上させることができる。
【００３８】
また、本実施の形態によれば、棚機構３１は、棚機構３１の折り畳み時に最も前側に配置される前棚板３３を含む複数の棚板としての前棚板３３および後棚板３４を備え、保持機構５１は、棚機構３１の折り畳み時に前棚板３３を保持し、棚機構３１を開いたときに前棚板（棚板）３３および後棚板（棚板）３４に設けられる側方延出部（側部）４５を保持する可動部材５３と、背壁７に固定される基部部材６１と、を備える。
本実施の形態によれば、陳列棚３０を折りたたみ可能とすることにより、陳列室１０内のスペースを調整可能となり、比較的大きい商品を陳列棚に収納する必要がある場合等、商品配置の自由度を向上させることができる。
【００３９】
また、本実施の形態によれば、可動部材５３は、棚機構３１の折り畳み時に前棚板３３を保持する当接部５５と、棚機構３１の折り畳み時に前棚板３３に設けられる傾斜部４３の下端（前棚板の背面側）を押さえるストッパ部５８と、を備える。
本実施の形態によれば、棚機構３１の折り畳み時に、前棚板３３を当接部５５とストッパ部５８との間の間隙にはめ込むことができる。そのため、棚機構３１の折り畳み時に前棚板３３を安定して保持でき、ひいては棚機構３１を安定して保持できる。
【００４０】
また、本実施の形態によれば、立ち上がり部５７の高さ（当接部の高さ）は、棚機構３１を開いたときの側方延出部４５の高さ（棚板の高さ）よりも高い。
本実施の形態によれば、棚機構３１を開いたときに、陳列棚３０の高さよりも立ち上がり部５７の高さが高くなり、前棚板３３および後棚板３４から商品が横方向外側に落下することを防止できる。
【００４１】
また、本実施の形態によれば、ストッパ部５８の高さは、棚機構３１を開いたときの側方延出部４５の高さ（棚板の高さ）よりも低い。
本実施の形態によれば、棚機構３１を折り畳むとき、前棚板３３を当接部５５とストッパ部５８との間の間隙にはめ込むことが容易になる。
【００４２】
また、本実施の形態によれば、前棚板３３は、先端部から下方に延びる延出部４１と、延出部４１の下端部から斜め内側に延びる傾斜部４３と、を備える。
本実施の形態によれば、棚機構３１を折り畳むにあたり、前棚板３３を当接部５５とストッパ部５８との間の間隙にはめ込むときに、傾斜部４３が延出部４１の下端部から斜め内側に延びるため、前棚板３３の背面側において、傾斜部４３とストッパ部５８との接触を抑制できる。そのため、前棚板３３を当接部５５とストッパ部５８との間の間隙に円滑にはめ込むことができる。
【００４３】
以上、一実施の形態に基づいて本発明を説明したが、本発明はこの実施形態に限定されるものではない。あくまでも本発明の一実施の態様を例示するものであるから、本発明の趣旨を逸脱しない範囲で任意に変更、及び応用が可能である。
【符号の説明】
【００４４】
１  オープンショーケース（ショーケース）
７  背壁
８  デッキパン
１０  陳列室
２０  第２陳列棚
３０  陳列棚
３１  棚機構
３３  前棚板（棚板）
３４  後棚板（棚板）
３７  前棚板通風孔（第２通風孔）
３８  後棚板通風孔（第２通風孔）
４１  延出部
４３  傾斜部
４５  側方延出部
４７  棚板当接部
５０  第１通風孔
５１  保持機構
５３  可動部材
５５  当接部
５６  平面部（当接部）
５７  立ち上がり部（当接部）
５８  ストッパ部
６１  基部部材
【図１】
2019010381.tif 000003
【図２】
2019010381.tif 000004
【図３】
2019010381.tif 000005
【図４】
2019010381.tif 000006
【図５】
2019010381.tif 000007
【図６】
2019010381.tif 000008
【図７】
2019010381.tif 000009
【図８】
2019010381.tif 000010
【図９】
2019010381.tif 000011